(57)【要約】【課題】本発明は、フィット性に優れるとともに、少なくとも前方領域の長手方向端部からの排泄液の漏れを抑制することができる吸収性物品を提供するものである。【解決手段】本発明の吸収性物品は、前方領域（ＡＦ）において少なくとも表面シート（２）及び吸収体（４）を一体化する圧搾部（５）を有し、前記圧搾部（５）は、長手方向において最も内方側に位置する基点（５１）と、該基点（５１）から前記長手方向の外方側であって且つ幅方向の両方の外方側に向かうように延びる２本の圧搾溝（５２、５３）とを有していて、前記基点（５１）は、前記吸収性物品の長手方向に延びる中央軸線（ＣＬ）と重複せず且つ前記中央軸線（ＣＬ）からの距離（ＬＳ）が前記吸収体（４）の幅方向長さ（ＬＷ）の１５％以内となる位置に配置され、前記２本の圧搾溝（５２、５３）は、一方の圧搾溝（５２）が前記中央軸線（ＣＬ）と交差するように配置されている。【選択図】図１
2019118538.tif 000002
【特許請求の範囲】
【請求項１】
表面シートと、裏面シートと、これら各シートの間に位置する吸収体とを備えた、長手方向及び幅方向を有する吸収性物品であって、
前記吸収性物品は、平面視にて、着用時に着用者の股間部に対向する中央領域と、その前方側に隣接する前方領域とを有するとともに、前記前方領域において少なくとも前記表面シート及び前記吸収体を一体化する圧搾部を有し、
前記圧搾部は、前記長手方向において最も内方側に位置する基点と、該基点から前記長手方向の外方側であって且つ前記幅方向の両方の外方側に向かうように延びる２本の圧搾溝とを有していて、
前記基点は、前記吸収性物品の長手方向に延びる中央軸線と重複せず且つ前記中央軸線からの距離が前記吸収体の幅方向長さの１５％以内となる位置に配置され、
前記２本の圧搾溝は、一方の圧搾溝が前記中央軸線と交差するように配置されている、前記吸収性物品。
【請求項２】
前記圧搾溝は、相対的に密度の高い複数の高圧搾部を有する、請求項１に記載の吸収性物品。
【請求項３】
前記一方の圧搾溝と前記中央軸線とのなす角が、３０°以上９０°未満である、請求項１又は２に記載の吸収性物品。
【請求項４】
前記２本の圧搾溝は、前記長手方向の外方側において、前記幅方向の内方側に向かうように延びて互いに連結し、全体として環状の外形形状を有している、請求項１〜３のいずれか一項に記載の吸収性物品。
【請求項５】
前記環状の外形形状がハート形の外形形状である、請求項４に記載の吸収性物品。
【発明の詳細な説明】
【技術分野】
【０００１】
本発明は、生理用ナプキン、パンティライナー等の吸収性物品に関する。
【背景技術】
【０００２】
生理用ナプキン、パンティライナー等の吸収性物品は、着用者の股間部に接触しながら長時間にわたって着用されるものであるため、着用者に違和感や不快感などを生じさせないように、着用者の身体形状に追従して変形し易い（すなわち、フィット性に優れた）吸収性物品が検討されている。
【０００３】
そのような吸収性物品として、例えば、特許文献１には、表面シート、吸収コア及び裏面シートがこの順に積層され、前記吸収コアの両側方において前記表面シートと前記裏面シートとがそれぞれ接合され、前記吸収コアの両側端部かつ前後方向中央部に前後方向に向かう線を描く第１のエンボスが前記表面シート上から付与されている、生理用ナプキンであって、前記吸収コアの前端部及び後端部の少なくとも一方に、幅方向中央部を基端とし、この基端からそれぞれ前後方向外方かつ両側方へ向かう直線を描く第２のエンボスが、前記表面シート上から付与されている、前記生理用ナプキンが開示されている。
この特許文献１に開示された生理用ナプキンは、当該生理用ナプキンの前後方向中央部に幅方向内方に向かう圧力がかかったときに、表面シートや吸収性物品コアの上層部が第２のエンボス側から幅方向中心線側へ寄せ付けられて、生理用ナプキンの前後方向端部の幅方向中央部を含む両第２のエンボスで挟まれた部分が装着者側に突出した状態（すなわち、表面シート側から見て山折りの状態）になり、装着者に対するフィット性が向上するとされている。
【先行技術文献】
【特許文献】
【０００４】
【特許文献１】特開２００９−０８２４８０号公報
【発明の概要】
【発明が解決しようとする課題】
【０００５】
しかしながら、この特許文献１に開示された生理用ナプキンでは、生理用ナプキンの着用時に、着用者の股間部が生理用ナプキンの中央領域（前後方向の中央部及び幅方向の中央部を含む領域）に対向するため、着用者から経血等の排泄液が排出されたときに、当該排泄液が、生理用ナプキンの幅方向の中央部に位置する長手方向の中央軸線に沿って、長手方向の外方側に向かって拡散し易く、さらに、この長手方向の外方側に拡散した排泄液が第２のエンボスの基端に到達すると、当該第２のエンボスに沿って更に長手方向の外方側に拡散されてしまい、排泄液が長手方向端部から漏れ出る虞があった。なお、生理用ナプキンは、前方領域の長手方向長さが後方領域の長手方向長さと同程度か、又はそれ以下となるように形成されることが一般的であるため、このような排泄液の漏れは、少なくとも前方領域の長手方向端部において生じ易い傾向にある。
【０００６】
そこで、本発明は、フィット性に優れるとともに、少なくとも前方領域の長手方向端部からの排泄液の漏れを抑制することができる吸収性物品を提供することを目的とする。
【課題を解決するための手段】
【０００７】
本発明の一態様（態様１）は、表面シートと、裏面シートと、これら各シートの間に位置する吸収体とを備えた、長手方向及び幅方向を有する吸収性物品であって、
前記吸収性物品は、平面視にて、着用時に着用者の股間部に対向する中央領域と、その前方側に隣接する前方領域とを有するとともに、前記前方領域において少なくとも前記表面シート及び前記吸収体を一体化する圧搾部を有し、
前記圧搾部は、前記長手方向において最も内方側に位置する基点と、該基点から前記長手方向の外方側であって且つ前記幅方向の両方の外方側に向かうように延びる２本の圧搾溝とを有していて、
前記基点は、前記吸収性物品の長手方向に延びる中央軸線と重複せず且つ前記中央軸線からの距離が前記吸収体の幅方向長さの１５％以内となる位置に配置され、
前記２本の圧搾溝は、一方の圧搾溝が前記中央軸線と交差するように配置されている、前記吸収性物品である。
【０００８】
本態様の吸収性物品は、前方領域における圧搾部が、長手方向において最も内方側に位置する基点と、該基点から長手方向の外方側であって且つ幅方向の両方の外方側に向かうように延びる２本の圧搾溝とを有していて、さらに、基点が、吸収性物品の長手方向に延びる中央軸線からの距離が吸収体の幅方向長さの１５％以内となる位置に配置され、２本の圧搾溝のうちの一方の圧搾溝が上記中央軸線と交差するように配置されているため、上記２本の圧搾溝（特に、長手方向に延びる中央軸線と交差する圧搾溝）を折れ基点として、２本の圧搾溝よりも長手方向の内方側に位置する前方領域及び中央領域内の幅方向の中央部が着用者の肌面側に向かって突出しつつ、２本の圧搾溝よりも長手方向の外方側に位置する前方領域内の所定部分が着用者の肌面側に向かって起立するように変形し易く、吸収性物品を着用者の身体形状に沿って的確に密着させることができる（すなわち、優れたフィット性を発揮することができる）。
さらに、本態様の吸収性物品は、上述の圧搾部の基点が吸収性物品の長手方向に延びる中央軸線と重複せず、さらに、一方の圧搾溝が長手方向に延びる中央軸線と交差するように配置されているため、着用者から排出された排泄液が長手方向の中央軸線に沿って長手方向の外方側に拡散して圧搾部に到達したとしても、当該排泄液が、長手方向の中央軸線と一方の圧搾溝との交点を起点として、上記一方の圧搾溝に沿いながら相反する方向（すなわち、一方の圧搾溝に沿う方向において、上記交点を境にして圧搾部の基点に向かう方向と圧搾部の基点から遠ざかる方向）に分散されて、吸収性物品の長手方向端部には到達し難くすることができる（すなわち、吸収性物品の長手方向端部からの排泄液の漏れを抑制することができる）。
以上より、本態様の吸収性物品は、フィット性に優れるとともに、少なくとも前方領域の長手方向端部からの排泄液の漏れを抑制することができる。
【０００９】
また、本発明の別の態様（態様２）では、上記態様１の吸収性物品において、前記圧搾溝は、相対的に密度の高い複数の高圧搾部を有する。
【００１０】
本態様の吸収性物品は、圧搾溝が相対的に密度の高い（すなわち、溝の深さが深い）複数の高圧搾部を有しているため、当該高圧搾部が折れ基点として機能し易く、圧搾溝よりも長手方向の外方側に位置する前方領域の所定部分を、より一層着用者の肌面側に向かって起立するように変形させ易くすることができる上、相対的に密度の高い高圧搾部が毛細管現象により圧搾溝内の排泄液をスポット吸収して、排泄液の吸収体への移行を促進することができる（すなわち、排泄液を吸収性物品の長手方向端部に更に到達し難くすることができる）。これにより、本態様の吸収性物品は、優れたフィット性をより確実に得ることができるとともに、長手方向端部からの漏れをより生じ難くすることができる。
【００１１】
本発明の更に別の態様（態様３）では、上記態様１又は２の吸収性物品において、前記一方の圧搾溝と前記中央軸線とのなす角が、３０°以上９０°未満である。
【００１２】
本態様の吸収性物品は、一方の圧搾溝と長手方向の中央軸線とのなす角が３０°以上９０°未満であるため、着用者から排出された排泄液が長手方向の中央軸線に沿って長手方向の外方側に拡散して圧搾部に到達したとしても、当該排泄液の長手方向の外方側に向かう流れの勢いが上記一方の圧搾溝と上記中央軸線との交点において弱められて、当該交点を境にして相反する方向に分散する排泄液の分散流の流速を低減させることができる。これにより、本態様の吸収性物品は、長手方向端部からの排泄液の漏れを更に生じ難くすることができる。
【００１３】
本発明の更に別の態様（態様４）では、上記態様１〜３のいずれかの吸収性物品において、前記２本の圧搾溝は、前記長手方向の外方側において、前記幅方向の内方側に向かうように延びて互いに連結し、全体として環状の外形形状を有している。
【００１４】
本態様の吸収性物品は、２本の圧搾溝が全体として環状の外形形状を有していて、長手方向の外方側に圧搾溝の端部が存在しないため、着用者から排出された排泄液が一方の圧搾溝に沿って長手方向の外方側に流れたとしても、当該排泄液を、長手方向の外方側において連結する他方の圧搾溝に誘導することができ、吸収性物品の長手方向端部には到達し難くすることができる（すなわち、吸収性物品の長手方向端部からの排泄液の漏れを更に生じ難くすることができる）。
【００１５】
本発明の更に別の態様（態様５）では、上記態様４の吸収性物品において、前記環状の外形形状がハート形の外形形状である。
【００１６】
本態様の吸収性物品は、２本の圧搾溝によって形成される圧搾部の外形形状がハート形の外形形状であるため、着用者から排出された排泄液が一方の圧搾溝に沿って長手方向の外方側に流れたとしても、当該排泄液を、長手方向の外方側において幅方向の内方側へ向かいつつ長手方向の内方側へ戻るように誘導することができ、吸収性物品の長手方向端部にはより一層到達し難くすることができる（すなわち、長手方向端部からの排泄液の漏れをより一層生じ難くすることができる）。
【発明の効果】
【００１７】
本発明によれば、フィット性に優れるとともに、少なくとも前方領域の長手方向端部からの排泄液の漏れを抑制することができる吸収性物品を提供することができる。
【図面の簡単な説明】
【００１８】
【図１】図１は、本発明の一実施形態に係る生理用ナプキン１を、展開した状態で表面シート側から厚さ方向に見た平面図である。
【図２】図２は、図１における生理用ナプキン１のＩＩ−ＩＩ線に沿った断面の拡大端面図である。
【図３】図３は、図１における生理用ナプキン１の囲み線ＩＩＩで囲まれた要部の拡大平面図である。
【図４】図４は、着用時に生理用ナプキン１が舟形に変形した状態の一部分を示す模式図である。
【発明を実施するための形態】
【００１９】
以下、本発明の吸収性物品の好適な実施形態について、図面を参照しながら詳細に説明する。なお、本明細書においては、特に断りのない限り、「展開した状態で水平面上に置いた対象物（例えば、生理用ナプキン（吸収性物品）等）を、垂直方向の上方側から対象物の厚さ方向に見ること」を、単に「平面視」という。特に、対象物が吸収性物品の場合は、「吸収性物品を着用者の肌面側（すなわち、表面シート側）から厚さ方向に見ること」を単に「平面視」という。
【００２０】
本明細書において用いられる各種方向等については、特に断りのない限り、以下のとおりである。
本明細書において、「長手方向」は、「平面視における縦長の対象物（例えば、吸収性物品等）の長さの長い方向」を指し、「幅方向」は、「平面視における縦長の対象物の長さの短い方向（短手方向）」を指し、「厚さ方向」は、「展開した状態で水平面上に置いた対象物に対して垂直方向」を指し、これらの長手方向、幅方向及び厚さ方向は、それぞれ互いに直交する関係にある。
さらに、本明細書では、「縦長の対象物の幅方向の中央部に位置し且つ長手方向に延びる軸線」を「長手方向の中央軸線」又は「長手方向に延びる中央軸線」といい、「縦長の対象物の長手方向の中央部に位置し且つ幅方向に延びる軸線」を「幅方向の中央軸線」又は「幅方向に延びる中央軸線」という。これに関連して、「縦長の対象物の長手方向において、幅方向の中央軸線に対して相対的に近位側」を「長手方向の内方側」といい、「縦長の対象物の長手方向において、幅方向の中央軸線に対して相対的に遠位側」を「長手方向の外方側」という。同様に、「縦長の対象物の幅方向において、長手方向の中央軸線に対して相対的に近位側」を「幅方向の内方側」といい、「縦長の対象物の幅方向において、長手方向の中央軸線に対して相対的に遠位側」を「幅方向の外方側」という。
また、本明細書では、「吸収性物品の長手方向において、吸収性物品の着用時に着用者の腹部に対して相対的に近位側となる一方側」を、「吸収性物品の前方側」といい、「吸収性物品の長手方向において、吸収性物品の着用時に着用者の腹部に対して相対的に遠位側（すなわち、着用者の背部に対して相対的に近位側）となる他方側」を、「吸収性物品の後方側」という。
そして、本明細書では、特に断りのない限り、吸収性物品の厚さ方向において、「吸収性物品の着用時に、着用者の肌面に対して相対的に近位側」を「肌面側」といい、「吸収性物品の着用時に、着用者の肌面に対して相対的に遠位側」を「非肌面側」という。ここで、「着用時」とは、着用者が吸収性物品を着用した時点（すなわち、使用可能な状態を形成した時点）から、その状態を維持している間（着用している間）を意味する。
【００２１】
図１は、本発明の一実施形態に係る生理用ナプキン１を、展開した状態で表面シート側から厚さ方向に見た平面図であり、図２は、図１における生理用ナプキン１のＩＩ−ＩＩ線に沿った断面の拡大端面図であり、図３は、図１における生理用ナプキン１の囲み線ＩＩＩで囲まれた要部の拡大平面図である。また、図４は、着用時に生理用ナプキン１が舟形に変形した状態の一部分を示す模式図である。
図１に示すように、本発明の一実施形態に係る生理用ナプキン１（本発明における「吸収性物品」の一例である。）は、平面視にて、長手方向Ｌ及び幅方向Ｗを有し、全体的に縦長の外形形状を有していて、さらに具体的には、長手方向Ｌの両端部（すなわち、前方側の長手方向端部ＥＬ１及び後方側の長手方向端部ＥＬ２）が、長手方向Ｌの外方側に向かって円弧を描くように突出する形状を有するとともに、長手方向Ｌにおける中央部分の外縁（すなわち、生理用ナプキン１の幅方向Ｗにおける一方側の幅方向端部ＥＷ１及び他方側の幅方向端部ＥＷ２）が、幅方向Ｗの外方側に向かって略台形状を形成するように突出した形状を有している。なお、本発明において、吸収性物品の外形形状は、このような態様に限定されず、長手方向Ｌの長さが幅方向Ｗの長さよりも長い縦長の外形形状であれば、各種用途等に応じた任意の形状（例えば、長方形、楕円形、砂時計形など）を採用することができる。
【００２２】
さらに、本実施形態の生理用ナプキン１は、図１及び図２に示すように、厚さ方向Ｔにおいて、生理用ナプキン１の肌面側の表面Ｆ１を形成する液透過性の表面シート２と、生理用ナプキン１の非肌面側の表面Ｆ２を形成する液不透過性の裏面シート３と、これら両シートの間に位置する吸水性の吸収体４とを、主な構成部材として備えていて、さらに、裏面シート３の非肌面側の表面Ｆ２において厚さ方向Ｔに吸収体４と重複するように配置された、生理用ナプキン１を着用者の下着等の着衣に固定するための着衣固定用粘着部（不図示）と、該着衣固定用粘着部の非肌面側の表面に配置された、使用前の着衣固定用粘着部を保護するための剥離シート（不図示）と、を構成部材として備えている。
【００２３】
また、生理用ナプキン１は、図１に示すように、長手方向Ｌの中央部分において、表面シート２及び裏面シート３の幅方向Ｗの両端部（すなわち、幅方向Ｗにおける一方側の幅方向端部ＥＷ１及び他方側の幅方向端部ＥＷ２）が幅方向Ｗの外方側に向かって略台形状を形成するように突出してなる、一対のフラップ部９、９を有していて、さらにその一対のフラップ部９、９の非肌面側の表面には、当該一対のフラップ部９、９を着用者の着衣に固定するためのフラップ部固定用粘着部（不図示）を備えている。
【００２４】
このような構成を備えた生理用ナプキン１は、着用する際に、上述の剥離シートを剥がして、生理用ナプキン１の非肌面側の表面Ｆ２を、着衣固定用粘着部を介して着用者の着衣（例えば、下着等）の内面に貼り付けた後、一対のフラップ部９、９をそれぞれ着衣の外面側に折り返しつつフラップ部固定用粘着部を介して着衣の外面に貼り付けることにより、着用者の着衣に固定される。そして、着用者から経血等の排泄液が排出されると、当該排泄液は、生理用ナプキン１の後述する中央領域ＡＣにおける表面シート２の肌面側の表面Ｆ１に供給され、表面シート２を少なくとも長手方向Ｌに拡散しながら厚さ方向Ｔにおける非肌面側に移行した後、表面シート２の非肌面側に位置する吸収体４によって吸収及び保持されることとなる。
なお、上述の一対のフラップ部９、９を有することは、本発明の吸収性物品においては必須の構成要件ではないため、本発明の吸収性物品は、このような一対のフラップ部を有していなくてもよい。
【００２５】
また、本実施形態の生理用ナプキン１は、図１に示すように、平面視にて、生理用ナプキン１の前方側に位置する長手方向端部ＥＬ１と、生理用ナプキン１の後方側に位置する長手方向端部ＥＬ２と、生理用ナプキン１の幅方向Ｗの一方側に位置する幅方向端部ＥＷ１と、生理用ナプキン１の幅方向Ｗの他方側に位置する幅方向端部ＥＷ２とを有していて、さらに、前方側の長手方向端部ＥＬ１と後方側の長手方向端部ＥＬ２との間には、着用時に着用者の股間部に対向する（すなわち、着用者の排泄口に対向する位置に延在する）中央領域ＡＣと、当該中央領域ＡＣの前方側に隣接する前方領域ＡＦと、当該中央領域ＡＣの後方側に隣接する後方領域ＡＢと、を有している。
【００２６】
ここで、本明細書において、「中央領域」とは、吸収性物品の着用時に、着用者の股間部、より具体的には着用者の排泄口に対向する位置を含むように延在する領域を指し、吸収性物品の種類や用途（具体的には、経血や尿などの排泄液の種類、対象とする着用者の年齢や性別等）に応じて、吸収性物品の種類毎に設定される領域である。なお、かかる中央領域は、通常、吸収性物品の長手方向の略中央部或いは前方側寄りの位置（例えば、吸収性物品がフラップ部を有する場合は、平面視にて、フラップ部と幅方向において重複する前方側寄りの位置であり、吸収性物品が長手方向の略中央部において幅方向の内方側に括れた括れ部を有する場合は、平面視にて、括れ部と幅方向において重複する略中央部の位置であり、さらに、吸収性物品が長円状の外形形状を有する場合は、吸収性物品の幅方向の中央軸線を跨ぐ略中央部の位置である。）において、吸収性物品の長手方向全長の約１／４以上の長手方向長さを有するように設定されるが、例えば、吸収性物品が夜用ナプキン等の場合は、後方領域の長手方向長さを十分に確保するため、中央領域の長手方向長さが、吸収性物品の長手方向全長の１／４未満となるように設定されることもある。
【００２７】
そして、本実施形態の生理用ナプキン１は、図１乃至図３に示すように、上述の前方領域ＡＦにおいて表面シート２及び吸収体４を一体化する圧搾部５を有している。さらに、この圧搾部５は、図１及び図３に示すように、長手方向Ｌにおいて最も内方側に位置する基点５１と、該基点５１から長手方向Ｌの外方側であって且つ幅方向Ｗの両方の外方側に向かうように延びる２本の圧搾溝５２、５３とを有していて、基点５１は、生理用ナプキン１の長手方向Ｌに延びる中央軸線ＣＬと重複せず且つ当該中央軸線ＣＬからの距離ＬＳが吸収体４の幅方向長さＬＷの１５％以内（すなわち、吸収体４の幅方向長さＬＷを１００％としたとき、その幅方向長さＬＷに対して１５％以内）となる位置に配置され、さらに、上記２本の圧搾溝５２、５３は、一方の圧搾溝５２が長手方向Ｌの中央軸線ＣＬと交差するように配置されている。
なお、本実施形態の生理用ナプキン１は、後方領域ＡＢにおいても、前方領域ＡＦの圧搾部５と同様の構成（すなわち、上記特定の基点及び２本の圧搾溝を有する構成）を備えた圧搾部６を有している。
【００２８】
このように、本実施形態の生理用ナプキン１は、前方領域ＡＦの圧搾部５が、長手方向Ｌにおいて最も内方側に位置する基点５１と、該基点５１から長手方向Ｌの外方側であって且つ幅方向Ｗの両方の外方側に向かうように延びる２本の圧搾溝５２、５３とを有し、さらに、基点５１が、生理用ナプキン１の長手方向Ｌに延びる中央軸線ＣＬからの距離ＬＳが吸収体４の幅方向長ＬＷさの１５％以内となる位置に配置されているとともに、２本の圧搾溝５２、５３のうちの一方の圧搾溝５２が上記中央軸線ＣＬと交差するように配置されているため、上記２本の圧搾溝５２、５３（特に、長手方向Ｌに延びる中央軸線ＣＬと交差する圧搾溝５２）を折れ基点として、２本の圧搾溝５２、５３よりも長手方向Ｌの内方側に位置する前方領域ＡＦ及び中央領域ＡＣ内の幅方向の中央部が、図４に示すように、着用者の肌面側に向かって突出しつつ、２本の圧搾溝５２、５３よりも長手方向Ｌの外方側に位置する前方領域ＡＦ内の所定部分が着用者の肌面側に向かって起立するように変形し易く、生理用ナプキン１を着用者の身体形状に沿って的確に密着させることができる（すなわち、優れたフィット性を発揮することができる）。
さらに、本実施形態の生理用ナプキン１は、圧搾部５の基点５１が生理用ナプキン１の長手方向Ｌに延びる中央軸線ＣＬと重複せず、さらに、一方の圧搾溝５２が長手方向Ｌに延びる中央軸線ＣＬと交差するように配置されているため、経血等の排泄液が生理用ナプキン１の長手方向Ｌの中央軸線ＣＬに沿って長手方向Ｌの外方側に拡散して圧搾部５に到達したとしても、当該排泄液が、長手方向Ｌの中央軸線ＣＬと一方の圧搾溝５２との交点５２ｃを起点として、上記一方の圧搾溝５２に沿いながら相反する方向（すなわち、一方の圧搾溝５２に沿う方向において、上記交点５２ｃを境にして圧搾部５の基点５１に向かう方向と圧搾部５の基点５１から遠ざかる方向）に分散されて、生理用ナプキン１の前方側の長手方向端部ＥＬ１には到達し難くすることができる（すなわち、生理用ナプキン１の前方側の長手方向端部ＥＬ１からの排泄液の漏れを抑制することができる）。
以上により、本実施形態の生理用ナプキン１は、フィット性に優れるとともに、少なくとも前方領域ＡＦの長手方向端部ＥＬ１からの排泄液の漏れを抑制することができる。
【００２９】
さらに、本実施形態の生理用ナプキン１は、後方領域ＡＢにおいても、前方領域ＡＦの圧搾部５と同様の、上記特定の基点及び２本の圧搾溝を備えた圧搾部６を有しているため、当該後方領域ＡＢにおいても上述の圧搾部５による作用効果と同様の作用効果が得られ、当該後方領域ＡＢの長手方向端部ＥＬ２からの排泄液の漏れも抑制することができる。
なお、後方領域にこのような圧搾部を設けることは、本発明の吸収性物品においては必須の構成要件ではないため、着用者から排出される排泄液が後方領域の長手方向端部から漏れ出る虞が少ない場合（例えば、後方領域の長手方向長さが十分に長く確保されている場合等）は、吸収性物品は、後方領域にこのような圧搾部を有していなくてもよい。
【００３０】
以下、本発明の吸収性物品を構成する各種部材について、上述の実施形態に係る生理用ナプキン１を用いて更に詳細に説明する。
【００３１】
［表面シート］
上述の実施形態の生理用ナプキン１において、表面シート２は、図１及び図２に示すように、平面視にて、生理用ナプキン１の前方側の長手方向端部ＥＬ１から後方側の長手方向端部ＥＬ２にわたって長手方向Ｌに延在するとともに、生理用ナプキン１の幅方向Ｗにおける一方側の幅方向端部ＥＷ１から他方側の幅方向端部ＥＷ２にわたって幅方向Ｗに延在する、生理用ナプキン１の外形形状と同様の縦長の外形形状を有している。かかる表面シート２は、図２に示すように、生理用ナプキン１の厚さ方向Ｔにおいて肌面側の位置に配置されて着用者の肌面に当接し得る接触面（すなわち、生理用ナプキン１の肌面側の表面Ｆ１）を形成する、液透過性のシート状部材によって構成されている。
【００３２】
本発明において、表面シートとして用い得る液透過性のシート状部材は、吸収性物品の表面シートとして用い得る諸特性（例えば、液透過性や肌触り、柔軟性、強度等）を有するものであれば特に制限されず、例えば、エアスルー不織布、スパンレース不織布、スパンボンド不織布、ポイントボンド不織布等の不織布や多孔性樹脂フィルムなどの任意の液透過性のシート状部材を用いることができる。さらに、表面シートとして用い得るシート状部材の構造は、特に制限されず、平坦な無孔のシート状構造のほか、例えば、有孔のシート状構造、凹凸構造（断面形状が波形となる凹凸構造や畝溝構造等）を有するシート状構造などを採用することができる。また、表面シートとして不織布を用いる場合、その構成繊維の種類は、特に制限されず、例えば、セルロース系繊維；親水化処理を施したオレフィン系樹脂やポリエステル系樹脂等の熱可塑性樹脂繊維などの親水性繊維が挙げられ、これらの繊維は単独で用いても、二種類以上の繊維を併用してもよい。
【００３３】
なお、表面シートの外形形状や各種寸法、坪量等は、吸収性物品の表面シートとして用い得るものであれば特に制限されず、所望の液透過性や肌触り、柔軟性、強度等に応じた任意の外形形状や各種寸法、坪量等を採用することができる。例えば、表面シートの厚みは、０．００１ｍｍ〜５．０ｍｍの範囲内、好ましくは０．０１ｍｍ〜３．０ｍｍの範囲内、更に好ましくは０．１ｍｍ〜１．０ｍｍの範囲内の厚みを採用することができ、また、表面シートの坪量は、５ｇ／ｍ2〜１００ｇ／ｍ2の範囲内、好ましくは６ｇ／ｍ2〜５０ｇ／ｍ2の範囲内の坪量を採用することができる。
【００３４】
［裏面シート］
上述の実施形態の生理用ナプキン１において、裏面シート３は、図１及び図２に示すように、平面視にて、生理用ナプキン１の前方側の長手方向端部ＥＬ１から後方側の長手方向端部ＥＬ２にわたって長手方向Ｌに延在するとともに、生理用ナプキン１の幅方向Ｗにおける一方側の幅方向端部ＥＷ１から他方側の幅方向端部ＥＷ２にわたって幅方向Ｗに延在する、生理用ナプキン１の外形形状と同様の縦長の外形形状を有している。かかる裏面シート３は、図２に示すように、生理用ナプキン１の厚さ方向Ｔにおいて非肌面側の位置に配置されて着用者の肌面に対する非接触面（すなわち、生理用ナプキン１の非肌面側の表面Ｆ２）を形成する、液不透過性のシート状部材によって構成されている。
【００３５】
本発明において、裏面シートとして用い得る液不透過性のシート状部材は、吸収性物品の裏面シートとして機能し得るもの（すなわち、着用者から排出される経血等の排泄液の透過を防止し、当該排泄液が着用者の着衣等に漏れ出ないように機能し得るもの）であれば、特に制限されず、例えば、任意の疎水性の熱可塑性樹脂繊維（例えば、ポリエチレン（ＰＥ）、ポリプロピレン（ＰＰ）等のポリオレフィン系繊維、ポリエチレンテレフタレート（ＰＥＴ）等のポリエステル系繊維、芯鞘型等の各種複合繊維など）によって形成された疎水性不織布；ＰＥやＰＰ等の疎水性の熱可塑性樹脂によって形成された有孔又は無孔の樹脂フィルム；該樹脂フィルムに不織布を貼り合わせた積層体；ＳＭＳ不織布等の積層不織布などの任意の液不透過性のシート状部材を用いることができる。
【００３６】
なお、裏面シートの外形形状や各種寸法、坪量等は、吸収性物品の裏面シートとして用い得るものであれば特に制限されず、所望の防漏性能や通気性、強度等に応じた任意の外形形状や各種寸法、坪量等を採用することができる。
【００３７】
［吸収体］
上述の実施形態の生理用ナプキン１において、吸収体４は、図１に示すように、平面視にて、生理用ナプキン１における長手方向Ｌの中央軸線ＣＬ及び幅方向Ｗの中央軸線ＣＷの各々を跨ってそれぞれ長手方向Ｌ及び幅方向Ｗの広範囲に延在するとともに、長手方向Ｌの両端部がそれぞれ長手方向Ｌの外方側に向かって円弧を描くように突出した縦長の外形形状を有している。かかる吸収体４は、図２に示すように、生理用ナプキン１の厚さ方向Ｔにおいて表面シート２と裏面シート３の間に配置されて、表面シート２を透過してきた経血等の排泄液を吸収して保持し得る所定の吸水性及び液保持性を備えた吸水性部材によって形成されている。
【００３８】
本発明において、吸収体として用い得る吸水性部材は、少なくとも経血等の排泄液を吸収して保持し得るものであれば特に制限されず、当分野において公知の任意の吸水性部材を採用することができる。そのような吸水性部材の例としては、任意の吸水性材料によって構成される少なくとも一つの吸収コアを、親水性を有するティッシュ等のコアラップシートで覆ったものなどが挙げられる。ここで、吸収コアを構成する吸水性材料としては、例えば、親水性繊維や高吸収性ポリマーなどが挙げられ、更に具体的には、粉砕パルプ、コットン、レーヨン、アセテート等のセルロース系繊維；アクリル酸ナトリウムコポリマー等の高吸収性ポリマーからなる粒状物；及びこれらを任意に組み合わせた混合物などが挙げられる。
【００３９】
なお、吸収体の外形形状や各種寸法、坪量等は、吸収性物品の吸収体として用い得るものであれば特に制限されず、所望の吸収性能、柔軟性、強度等に応じた任意の外形形状（例えば、長方形、楕円形、砂時計形等）や各種寸法、坪量等を採用することができる。
【００４０】
［圧搾部］
そして、上述の実施形態の生理用ナプキン１は、図１乃至図３に示すように、前方領域ＡＦにおいて表面シート２及び吸収体４を厚さ方向Ｔに一体化する圧搾部５を有していて、かかる圧搾部５は、少なくとも、長手方向Ｌにおいて最も内方側に位置する基点５１と、該基点５１から長手方向Ｌの外方側であって且つ幅方向Ｗの両方の外方側に向かうように延びる２本の圧搾溝５２、５３とを有している。
なお、本実施形態の生理用ナプキン１は、上述のとおり、後方領域ＡＢにおいても圧搾部６を有しているが、かかる圧搾部６は、前方領域ＡＦの圧搾部５と同様の構成を備えているため、説明を省略する。
【００４１】
本実施形態の生理用ナプキン１において、圧搾部５の基点５１は、図１及び図３に示すように、平面視にて、生理用ナプキン１の長手方向Ｌに延びる中央軸線ＣＬと重複せず且つ当該中央軸線ＣＬからの距離ＬＳが吸収体４の幅方向長さＬＷの１５％以内（すなわち、吸収体４の幅方向長さＬＷを１００％としたとき、その幅方向長さＬＷに対して１５％以内）となる位置に配置されている。
さらに、圧搾部５の２本の圧搾溝５２、５３は、図１及び図３に示すように、平面視にて、一方の圧搾溝５２が、基点５１から長手方向Ｌの前方側に向かいつつ幅方向Ｗの一方の外方側に向かうように（すなわち、前方側の長手方向端部ＥＬ１及び一方側の幅方向端部ＥＷ１の間の斜め前方側（図１における左斜め上方側）に向かうように）延びるとともに、上記中央軸線ＣＬと交差するように配置され、また、他方の圧搾溝５３が、基点５１から長手方向Ｌの前方側に向かいつつ幅方向Ｗの他方の外方側に向かうように（すなわち、前方側の長手方向端部ＥＬ１及び他方側の幅方向端部ＥＷ２の間の斜め前方側（図１における右斜め上方側）に向かうように）延びるように配置されていて、これら２本の圧搾溝５２、５３は、長手方向Ｌの外方側において、それぞれ幅方向Ｗの内方側に向かうように延びて（より具体的には、それぞれ幅方向Ｗの内方側に向かいつつ長手方向Ｌの内方側に向かって湾曲しながら延びて）、連結点５４にて互いに連結し、全体としてハート形を形作る環状の外形形状を有している。
【００４２】
このように、本実施形態の生理用ナプキン１は、前方領域ＡＦの圧搾部５が、長手方向Ｌにおいて最も内方側に位置する基点５１と、該基点５１から長手方向Ｌの外方側であって且つ幅方向Ｗの両方の外方側に向かうように延びる２本の圧搾溝５２、５３とを有し、さらに、基点５１が、生理用ナプキン１の長手方向Ｌに延びる中央軸線ＣＬからの距離ＬＳが吸収体４の幅方向長ＬＷさの１５％以内となる位置に配置されているとともに、２本の圧搾溝５２、５３のうちの一方の圧搾溝５２が、上記長手方向Ｌの中央軸線ＣＬと交差するように配置されているため、上記２本の圧搾溝５２、５３（特に、長手方向Ｌに延びる中央軸線ＣＬと交差する圧搾溝５２）を折れ基点として、２本の圧搾溝５２、５３よりも長手方向Ｌの内方側に位置する前方領域ＡＦ及び中央領域ＡＣ内の幅方向Ｗの中央部が、図４に示すように、着用者の肌面側に向かって突出しつつ、２本の圧搾溝５２、５３よりも長手方向Ｌの外方側に位置する前方領域ＡＦ内の所定部分が着用者の肌面側に向かって起立するように変形し易く、生理用ナプキン１を着用者の身体形状に沿って的確に密着させることができる。
さらに、本実施形態の生理用ナプキン１は、圧搾部５の基点５１が生理用ナプキン１の長手方向Ｌに延びる中央軸線ＣＬと重複せず、さらに、一方の圧搾溝５２が長手方向Ｌに延びる中央軸線ＣＬと交差するように配置されているため、経血等の排泄液が生理用ナプキン１の長手方向Ｌの中央軸線ＣＬに沿って長手方向Ｌの外方側に拡散して圧搾部５に到達したとしても、当該排泄液が、長手方向Ｌの中央軸線ＣＬと一方の圧搾溝５２との交点５２ｃを起点として、上記一方の圧搾溝５２に沿いながら相反する方向（すなわち、一方の圧搾溝５２に沿う方向において、上記交点５２ｃを境にして圧搾部５の基点５１に向かう方向と圧搾部５の基点５１から遠ざかる方向）に分散されて、生理用ナプキン１の長手方向端部ＥＬ１には到達し難くすることができる。
【００４３】
ここで、基点５１の、長手方向Ｌに延びる中央軸線ＣＬからの距離ＬＳ（すなわち、基点５１と長手方向Ｌの中央軸線ＣＬとの間の距離ＬＳ）は、基点５１から長手方向Ｌの中央軸線ＣＬに下した垂線の長さを意味する。また、吸収体４の幅方向長さＬＷは、吸収体４において基点５１を通る部分の幅方向長さ（すなわち、基点５１を通る幅方向Ｗに平行な直線と吸収体４の幅方向Ｗにおける一方側の幅方向端部との交点を交点Ｗ１とし、基点５１を通る幅方向Ｗに平行な直線と吸収体４の幅方向Ｗにおける他方側の幅方向端部との交点を交点Ｗ２としたとき、交点Ｗ１と交点Ｗ２との間の長さ）を意味する。
【００４４】
なお、本発明の圧搾部による上記作用効果は、当該圧搾部が少なくとも表面シートと吸収体とを厚さ方向に一体化し且つ上記特定の基点及び２本の圧搾溝を有するものであれば奏されるため、本発明の吸収性物品において、圧搾部は、上述の実施形態のように表面シート及び吸収体を厚さ方向に一体化するものであっても、表面シート、吸収体及び裏面シートのすべてを厚さ方向に一体化するものであってもよい。
【００４５】
また、本発明において、上述の２本の圧搾溝は、長手方向において最も内方側に位置する基点から長手方向の外方側であって且つ幅方向の両方の外方側に向かうように延び、一方の圧搾溝が吸収性物品の長手方向に延びる中央軸線と交差するように配置されていれば、上述の実施形態のように、全体としてハート形を形作る環状の外形形状を有していなくてもよい。
したがって、上述の２本の圧搾溝は、本発明の効果を阻害しない限り任意の配置形態で設けることができる。そのような配置形態としては、例えば、全体として、略Ｖ字形、略Ｕ字形、円形、楕円形、逆三角形、菱形、五角形、六角形等の任意の幾何学的形状；花柄、動物柄、波柄等の任意の模様状；文字やロゴ、キャラクター等の任意のデザイン形状などの外形形状を形成するものが挙げられ、中でも、上述のハート形や円形、楕円形、菱形等の、全体として環状の外形形状を形成するものが好ましく、さらに、ハート形を形成するものが特に好ましい。
２本の圧搾溝が、長手方向の外方側において幅方向の内方側に向かうように延びて互いに連結し、全体として環状の外形形状を有するものであると、長手方向の外方側に圧搾溝の端部が存在しないため、着用者から排出された排泄液が一方の圧搾溝に沿って長手方向の外方側に流れたとしても、当該排泄液を、長手方向の外方側において連結する他方の圧搾溝に誘導することができ、吸収性物品の長手方向端部には到達し難くすることができる。さらに、この２本の圧搾溝が、全体としてハート形の外形形状を有するものであると、排泄液が圧搾溝に沿って長手方向の外方側へ流れたとしても、当該排泄液を、長手方向の外方側において幅方向の内方側へ向かいつつ長手方向の内方側へ戻るように（すなわち、上述の実施形態の生理用ナプキン１における連結点５４に向かうように）誘導することができるため、当該排泄液を吸収性物品の長手方向端部に、より一層到達し難くすることができる。
【００４６】
また、本発明において、上述の圧搾部は、一方の圧搾溝と長手方向の中央軸線とのなす角が３０°以上９０°未満の範囲内となるように形成されていることが好ましい。例えば、上述の実施形態の生理用ナプキン１においては、圧搾部５は、図３に示すように、一方の圧搾溝５２と長手方向Ｌの中央軸線ＣＬとのなす角５２ｄが３０°以上９０°未満の範囲内となるように形成されている。このように、一方の圧搾溝５２と長手方向Ｌの中央軸線ＣＬとのなす角が３０°以上９０°未満の範囲内であると、着用者から排出された排泄液が長手方向Ｌの中央軸線ＣＬに沿って長手方向Ｌの外方側に拡散して上述の圧搾部５に到達したとしても、当該排泄液の長手方向Ｌの外方側に向かう流れの勢いが上記一方の圧搾溝５２と上記中央軸線ＣＬとの交点５２ｃにおいて弱められて、当該交点５２ｃを境にして相反する方向に分散する排泄液の分散流の流速を低減させることができる。これにより、生理用ナプキン１は、前方側の長手方向端部ＥＬ１からの排泄液の漏れを更に生じ難くすることができる。
【００４７】
ここで、一方の圧搾溝５２と長手方向Ｌの中央軸線ＣＬとのなす角５２ｄは、図３に示すように、平面視にて、圧搾溝５２と長手方向Ｌの中央軸線ＣＬとの交点５２ｃを通る圧搾溝５２の接線ＴＬと、長手方向Ｌの中央軸線ＣＬとが交差する角度のうち、最小の角度をいう。
【００４８】
また、本発明において、上述の圧搾部は、圧搾溝が相対的に密度の高い複数の高圧搾部を有していることが好ましい。例えば、上述の実施形態の生理用ナプキン１においては、圧搾部５は、図３に示すように、一方の圧搾溝５２において、当該圧搾溝５２内の他の部分５２ｂよりも相対的に高い圧力で圧搾された複数の高圧搾部５２ａが形成されており、同様に、他方の圧搾溝５３において、当該圧搾溝５３内の他の部分５３ｂよりも相対的に高い圧力で圧搾された複数の高圧搾部５３ａが形成されている。これらの複数の高圧搾部５２ａ、５３ａは、図１及び図３に示すように、平面視にて、それぞれ圧搾溝５２、５３が延在する方向に沿って、所定間隔を空けて一列に並ぶように配置されており、さらに、これらの複数の高圧搾部５２ａ、５３ａは、図２に示すように、厚さ方向Ｔにおいて、それぞれ他の部分５２ｂ、５３ｂよりも溝の深さが深い部分（すなわち、相対的に密度の高い部分）として形成されている。
このように、圧搾溝５２、５３内に相対的に密度の高い（すなわち、溝の深さが深い）複数の高圧搾部５２ａ、５３ａが形成されていると、当該高圧搾部５２ａ、５３ａが折れ基点として機能し易いため、圧搾溝５２、５３よりも長手方向Ｌの外方側に位置する前方領域の所定部分を、より一層着用者の肌面側に向かって起立するように変形させ易くすることができる上、相対的に密度の高い高圧搾部５２ａ、５３ａが毛細管現象を発現し易いため、圧搾溝５２、５３内の排泄液をスポット吸収して、当該排泄液の吸収体４への移行を促進することができる（すなわち、排泄液を生理用ナプキン１の前方側の長手方向端部ＥＬ１に更に到達し難くすることができる）。これにより、本実施形態の生理用ナプキン１は、優れたフィット性をより確実に得ることができるとともに、前方側の長手方向端部ＥＬ１からの漏れをより生じ難くすることができる。
【００４９】
なお、上述の実施形態においては、圧搾溝５２、５３内の高圧搾部５２ａ、５３ａは、図３に示すように、平面視にて、略円形のドット状の形態で形成されているが、本発明において高圧搾部の形態は特に限定されず、高圧搾部は、例えば、平面視にて、楕円形状；三角形状；正方形、菱形等の矩形状などの任意の幾何学的形状で形成することができる。また、高圧搾部のサイズも特に限定されず、高圧搾部は、上述の実施形態のように圧搾溝の溝幅よりも小さいサイズの幅や直径等で形成されていても、圧搾部の溝幅と同じサイズの幅や直径等で形成されていてもよい。
【００５０】
また、本発明において、圧搾溝乃至高圧搾部の形成手段は、特に制限されず、例えば、表面シート及び吸収体の積層物、或いは表面シート、吸収体及び裏面シートの積層物を、圧搾溝形成用の突出部を備えた（高圧搾部も形成する場合は、圧搾溝形成用の突出部とともに当該圧搾溝形成用の突出部よりも突出高さの高い高突出部を備えた）加熱又は非加熱のエンボス加工手段を用いて、表面シートの肌面側から厚さ方向に圧搾することにより、上述の圧搾溝乃至高圧搾部を形成することができる。
【００５１】
（長手方向圧搾溝）
また、上述の実施形態の生理用ナプキン１は、図１に示すように、平面視にて、長手方向Ｌの中央軸線ＣＬを対象軸として線対称（左右対称）となるように当該中央軸線ＣＬの両側に位置し、且つ、生理用ナプキン１の前方領域ＡＦから中央領域ＡＣにわたって長手方向Ｌに延在する、一対の第１の長手方向圧搾溝７、７と、当該一対の第１の長手方向圧搾溝７、７の各々の後方側に位置し、且つ、生理用ナプキン１の中央領域ＡＣから後方領域ＡＢにわたって、上記第１の長手方向圧搾溝７、７よりも短い長さで長手方向Ｌに延在する、一対の第２の長手方向圧搾溝８、８とを有している。なお、これらの第１の長手方向圧搾溝７、７及び第２の長手方向圧搾溝８、８においても、上述の圧搾溝５２、５３と同様の複数の高圧搾部が、各圧搾溝内に形成されている。
【００５２】
このような長手方向圧搾溝を有することは、本発明の吸収性物品においては必須の構成要件ではないものの、吸収性物品がこのような長手方向圧搾溝を有していると、着用者から排出された経血等の排泄液が吸収性物品の幅方向の外方側に向かって拡散したとしても、長手方向圧搾溝によって排泄液の幅方向の流動を堰き止めつつ排泄液を長手方向に拡散させることができるため、吸収性物品の幅方向端部からの排泄液の漏れを抑制することができる上、排泄液を吸収性物品の（具体的には、吸収体の）長手方向の広範囲の領域で吸収させて、吸収体の吸収性能を効率よく利用することができる。さらに、吸収性物品がこのような長手方向圧搾溝を有していると、当該長手方向圧搾溝が折れ基点となって、吸収性物品を、幅方向に沿った断面形状が略Ｗ字形となるように変形させ易くすることができるため（図４を参照）、吸収性物品の着用時において、吸収性物品の幅方向の中央部が着用者の肌面側に突出して着用者の股間部に密着し易くなる（すなわち、フィット性が更に向上する）という利点もある。なお、吸収性物品が、このように略Ｗ字形となるように変形すると、通常、着用者から排出された排泄液は、吸収性物品の長手方向に延びる中央軸線に沿って長手方向の外方側に拡散し易くなるが、このような場合でも、本発明の吸収性物品は、上記特定の圧搾部を有しているため、排泄液が吸収性物品の長手方向端部に到達し難く、当該長手方向端部からの排泄液の漏れを抑制することができる。
【００５３】
さらに、長手方向圧搾溝が、上述の実施形態のように、一対の第１の長手方向圧搾溝と、当該一対の第１の長手方向圧搾溝の各々の後方側に位置する一対の第２の長手方向圧搾溝とによって構成されていると、上記第１の長手方向圧搾溝と第２の長手方向圧搾溝との間の剛性の低い部分が折れ曲がり易くなるため、吸収性物品を着用者の身体形状に沿って包み込むように変形させることができ、より一層優れたフィット性を発揮することができる。
【００５４】
また、長手方向圧搾溝の平面視形状は、本発明の効果を阻害しない限り特に制限されず、上述の実施形態のような曲線を組み合わせた形状（図１を参照）のほか、直線状、二重線状、破線状、ジグザグ状などの任意の平面視形状を採用することができる。
【００５５】
なお、本発明において、上記した各種部材を用いて吸収性物品を製造する方法は、特に制限されず、当分野において公知の任意の製造方法を採用することができる。
例えば、上述の実施形態の生理用ナプキン１は、表面シート２と吸収体４を任意の接合手段（例えば、ホットメルト型接着剤等）で接合することにより積層物を得た後、当該積層物の所定部分（少なくとも前方領域となる領域の所定部分）を表面シート側から厚さ方向に圧搾することにより上記特定の圧搾部を形成し、さらに、当該圧搾部を形成した積層体の吸収体側の表面に裏面シートを任意の接合手段（例えば、ホットメルト型接着剤、熱融着手段等）で接合することにより、上述の生理用ナプキン１を製造することができる。
【００５６】
本発明は、上述した実施形態の生理用ナプキンのほかに、例えば、パンティライナー等の様々な吸収性物品に適用することができる。また、本発明の吸収性物品は、上述した実施形態等に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【００５７】
１    生理用ナプキン（「吸収性物品」の一例）
２    表面シート
３    裏面シート
４    吸収体
５    圧搾部
５１    基点
５２    一方の圧搾溝
５３    他方の圧搾溝
６    圧搾部（後方領域）
７    第１の長手方向圧搾溝
８    第２の長手方向圧搾溝
９    フラップ部
【図１】
2019118538.tif 000003
【図２】
2019118538.tif 000004
【図３】
2019118538.tif 000005
【図４】
2019118538.tif 000006